(57)【要約】  本発明はビーム測定方法及び装置を開示する。前記ビーム測定方法は、端末が測定構成情報に基づいて少なくとも一つのビームを測定することであって、前記測定構成情報が前記少なくとも一つのビームの測定に用いられることと、前記端末が前記少なくとも一つのビームの測定量に基づき、ターゲットビーム及び／又はターゲットセルを確定することであって、前記ターゲットビーム及び／又は前記ターゲットセルが、前記端末がキャンプすることができるビーム及び／又はセルであることとを含む。端末が少なくとも一つのビームの測定量に基づき、キャンプすることができるターゲットビーム及び／又はターゲットセルを確定することにより、ネットワーク側装置が該端末のためにキャンプすることができるターゲットビーム及び／又はターゲットセルを確定する必要がなく、ネットワーク側装置の負荷を軽減する。
2020502862.tif 000002
【特許請求の範囲】
【請求項１】
ビーム測定方法であって、
端末が測定構成情報に基づいて少なくとも一つのビームを測定することであって、前記測定構成情報が前記少なくとも一つのビームの測定に用いられることと、
前記端末が前記少なくとも一つのビームの測定量に基づき、ターゲットビーム及び／又はターゲットセルを確定することであって、前記ターゲットビーム及び／又は前記ターゲットセルが、前記端末がキャンプすることができるビーム及び／又はセルであることとを含む、前記ビーム測定方法。
【請求項２】
前記ビーム測定方法はさらに、
前記端末がネットワーク側装置から送信された前記測定構成情報を受信することを含むことを特徴とする
請求項１に記載のビーム測定方法。
【請求項３】
前記少なくとも一つのビームが同じセルに属することを特徴とする
請求項１又は２に記載のビーム測定方法。
【請求項４】
前記少なくとも一つのビームが複数のビームであり、前記複数のビームがそれぞれ複数のセルに属することを特徴とする
請求項１又は２に記載のビーム測定方法。
【請求項５】
前記端末が前記少なくとも一つのビームの測定量に基づき、ターゲットビーム及び／又はターゲットセルを確定することは、
前記端末が前記複数のビームの測定量に基づき、前記複数のセルの測定量を確定することと、
前記端末が前記複数のセルの測定量に基づき、前記複数のセルから前記ターゲットセルを確定することとを含むことを特徴とする
請求項４に記載のビーム測定方法。
【請求項６】
前記ビーム測定方法はさらに、
前記端末が前記ターゲットセルのビームの測定量に基づき、前記ターゲットセルのビームから前記ターゲットビームを確定することを含むことを特徴とする
請求項５に記載のビーム測定方法。
【請求項７】
前記ビーム測定方法はさらに、
前記端末が前記少なくとも一つのビームの測定量に基づき、少なくとも一つの候補ビーム及び／又は少なくとも一つの候補セルを確定することであって、前記少なくとも一つの候補ビーム及び／又は少なくとも一つの候補セルは、前記ターゲットビーム及び／又は前記ターゲットセルが適切でない場合、前記端末がキャンプすることができるビーム及び／又はセルであることを含むことを特徴とする
請求項１−６のいずれか一項に記載のビーム測定方法。
【請求項８】
前記端末が前記少なくとも一つのビームの測定量に基づき、ターゲットビーム及び／又はターゲットセルを確定することは、
前記端末が前記少なくとも一つのビーム伝送信号の信号強度及び／又は信号品質に基づき、前記ターゲットビーム及び／又は前記ターゲットセルを確定することを含むことを特徴とする
請求項１−７のいずれか一項に記載のビーム測定方法。
【請求項９】
前記端末が前記少なくとも一つのビーム伝送信号の信号強度及び／又は信号品質に基づき、前記ターゲットビーム及び／又は前記ターゲットセルを確定することは、
前記端末が前記少なくとも一つのビーム伝送信号の信号強度及び／又は信号品質に基づき、前記少なくとも一つのビームにおける伝送信号の信号強度及び／又は信号品質が最も良いビームを確定することであって、前記伝送信号の信号強度及び／又は信号品質が最も良いビームが前記ターゲットビームであることを含むことを特徴とする
請求項８に記載のビーム測定方法。
【請求項１０】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項１−９のいずれか一項に記載のビーム測定方法。
【請求項１１】
前記端末が前記少なくとも一つのビーム伝送信号の信号強度及び／又は信号品質に基づき、前記ターゲットビーム及び／又は前記ターゲットセルを確定することは、
前記端末が前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定することを含むことを特徴とする
請求項１０に記載のビーム測定方法。
【請求項１２】
前記端末が前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定することは、
前記端末が前記少なくとも一つのビーム伝送信号の信号強度及び／又は信号品質、及び前記第一の信号強度閾値及び／又は前記第一の信号品質閾値に基づき、セルセット及び／又はビームセットを確定することと、
前記端末が前記セルセット又は前記ビームセットから、伝送信号の信号強度及び／又は信号品質が最も良いセル又はビームを、ターゲットセル又はターゲットビームとして確定することとを含むことを特徴とする
請求項１１に記載のビーム測定方法。
【請求項１３】
前記端末が前記少なくとも一つのビーム伝送信号の信号強度及び／又は信号品質、及び第一の信号強度閾値及び／又は第一の信号品質閾値に基づき、前記ターゲットビーム及び／又は前記ターゲットセルを確定することは、
前記端末が前記少なくとも一つのビーム伝送信号の信号強度及び／又は信号品質、及び前記第一の信号強度閾値及び／又は前記第一の信号品質閾値に基づき、セルセット又はビームセットを確定することと、
前記端末が基準に従って前記セルセットにおけるセルをソートし、そしてソート結果に基づいて前記ターゲットセルを確定すること、又は
前記端末が基準に従って前記ビームセットにおけるビームをソートし、そしてソート結果に基づいて前記ターゲットビームを確定することとを含むことを特徴とする
請求項１１に記載のビーム測定方法。
【請求項１４】
前記端末が前記少なくとも一つのビーム伝送信号の信号強度及び／又は信号品質、及び第一の信号強度閾値及び／又は第一の信号品質閾値に基づき、前記ターゲットビーム及び／又は前記ターゲットセルを確定することは、
前記端末が前記少なくとも一つのビーム伝送信号の信号強度及び／又は信号品質、及び前記第一の信号強度閾値及び／又は前記第一の信号品質閾値に基づき、セルセット又はビームセットを確定することと、
前記端末が周波数優先度に基づいて前記セルセット又は前記ビームセットから前記ターゲットビーム又は前記ターゲットセルを確定することであって、前記周波数優先度がセルの周波数の周波数優先度又はビームの周波数の周波数優先度を示すことに用いられることとを含むことを特徴とする
請求項１１に記載のビーム測定方法。
【請求項１５】
前記端末が前記少なくとも一つのビームの測定量を確定する前に、前記ビーム測定方法はさらに、
前記端末が前記端末にサービングされたセル伝送信号の信号強度及び／又は信号品質が第二の信号強度及び／又は第二の信号品質閾値より低いことを確定すること、又は
前記端末が前記端末にサ―ビングされたビーム伝送信号の信号強度及び／又は信号品質が第二の信号強度及び／又は第二の信号品質閾値より低いことを確定することを含むことを特徴とする
請求項１０に記載のビーム測定方法。
【請求項１６】
前記端末がネットワーク側装置から送信された少なくとも一つのビームにおける各ビームの測定構成情報を受信することは、
前記端末がネットワーク側装置から送信された専用シグナリングを受信することであって、前記専用シグナリングに前記少なくとも一つのビームにおける各ビームの測定構成情報が含まれることを含むことを特徴とする
請求項１−１５のいずれか一項に記載のビーム測定方法。
【請求項１７】
前記端末がネットワーク側装置から送信された少なくとも一つのビームにおける各ビームの測定構成情報を受信することは、
前記端末がネットワーク側装置から送信されたシステム情報を受信することであって、前記システム情報に前記少なくとも一つのビームにおける各ビームの測定構成情報が含まれることを含むことを特徴とする
請求項１−１５のいずれか一項に記載のビーム測定方法。
【請求項１８】
ビーム測定方法であって、
ネットワーク側装置が端末へ少なくとも一つのビームの測定構成情報を送信することであって、前記測定構成情報がビームの測定に用いられることと、
前記ネットワーク側装置が前記ターゲットビーム及び／又はターゲットセルを介して情報を送信することであって、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルであることとを含む、前記ビーム測定方法。
【請求項１９】
前記少なくとも一つのビームが同じセルに属することを特徴とする
請求項１８に記載のビーム測定方法。
【請求項２０】
前記少なくとも一つのビームが複数のビームであり、前記複数のビームがそれぞれ複数のセルに属することを特徴とする
請求項１８に記載のビーム測定方法。
【請求項２１】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項１８−２０のいずれか一項に記載のビーム測定方法。
【請求項２２】
前記ネットワーク側装置が前記端末へ少なくとも一つのビームの測定構成情報を送信することは、
前記ネットワーク側装置が前記端末へ専用シグナリングを送信することであって、前記専用シグナリングに前記少なくとも一つのビームの測定構成情報が含まれることを含むことを特徴とする
請求項１８−２１のいずれか一項に記載のビーム測定方法。
【請求項２３】
前記ネットワーク側装置が前記端末へ少なくとも一つのビームの測定構成情報を送信することは、
前記ネットワーク側装置が前記端末へシステム情報を送信することであって、前記システム情報に前記少なくとも一つのビームの測定構成情報が含まれることを含むことを特徴とする
請求項１８−２１のいずれか一項に記載のビーム測定方法。
【請求項２４】
ビーム測定装置であって、
測定構成情報に基づいて少なくとも一つのビームを測定するように構成される測定モジュールであって、前記測定構成情報が前記少なくとも一つのビームを測定することに用いられる測定モジュールと、
前記少なくとも一つのビームの測定量に基づき、ターゲットビーム及び／又はターゲットセルを確定するように構成される第一の確定モジュールであって、前記ターゲットビーム及び／又はターゲットセルが、前記端末がキャンプすることができるビーム及び／又はセルである第一の確定モジュールとを備える、前記ビーム測定装置。
【請求項２５】
前記ビーム測定装置はさらに、
ネットワーク側装置から送信された前記測定構成情報を受信するように構成される受信モジュールを備えることを特徴とする
請求項２４に記載のビーム測定装置。
【請求項２６】
前記少なくとも一つのビームが同じセルに属することを特徴とする
請求項２４又は２５に記載のビーム測定装置。
【請求項２７】
前記少なくとも一つのビームが複数のビームであり、前記複数のビームがそれぞれ複数のセルに属することを特徴とする
請求項２４又は２５に記載のビーム測定装置。
【請求項２８】
前記第一の確定モジュールは具体的に、
前記複数のビームの測定量に基づき、前記複数のセルの測定量を確定し、
前記複数のセルの測定量に基づき、前記複数のセルから前記ターゲットセルを確定するように構成されることを特徴とする
請求項２７に記載のビーム測定装置。
【請求項２９】
前記ビーム測定装置はさらに、
前記ターゲットセルのビームの測定量に基づき、前記ターゲットセルのビームから前記ターゲットビームを確定するように構成される第二の確定モジュールを備えることを特徴とする
請求項２８に記載のビーム測定装置。
【請求項３０】
前記ビーム測定装置はさらに、
前記少なくとも一つのビームの測定量に基づき、少なくとも一つの候補ビーム及び／又は少なくとも一つの候補セルを確定するように構成される第三の確定モジュールであって、前記少なくとも一つの候補ビーム及び／又は少なくとも一つの候補セルが、前記ターゲットビーム及び／又は前記ターゲットセルが適切でない場合、前記端末がキャンプすることができるビーム及び／又はセルである第三の確定モジュールを備えることを特徴とする
請求項２４−２９のいずれか一項に記載のビーム測定装置。
【請求項３１】
前記第一の確定モジュールは具体的に、
前記少なくとも一つのビーム伝送信号の信号強度及び／又は信号品質に基づき、前記ターゲットビーム及び／又は前記ターゲットセルを確定するように構成されることを特徴とする
請求項２４−３０のいずれか一項に記載のビーム測定装置。
【請求項３２】
第一の確定モジュールは具体的に、
前記少なくとも一つのビーム伝送信号の信号強度及び／又は信号品質に基づき、前記少なくとも一つのビームにおける伝送信号の信号強度及び／又は信号品質が最も良いビームを確定するように構成され、前記伝送信号の信号強度及び／又は信号品質が最も良いビームが前記ターゲットビームであることを特徴とする
請求項３１に記載のビーム測定装置。
【請求項３３】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項２４−３２のいずれか一項に記載のビーム測定装置。
【請求項３４】
前記第一の確定モジュールは具体的に、
前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定するように構成されることを特徴とする
請求項３３に記載のビーム測定装置。
【請求項３５】
前記第一の確定モジュールは具体的に、
前記少なくとも一つのビーム伝送信号の信号強度及び／又は信号品質、及び前記第一の信号強度閾値及び／又は前記第一の信号品質閾値に基づき、セルセット及び／又はビームセットを確定し、
前記セルセット又は前記ビームセットから、伝送信号の信号強度及び／又は信号品質が最も良いセル又はビームを、ターゲットセル又はターゲットビームとして確定するように構成されることを特徴とする
請求項３４に記載のビーム測定装置。
【請求項３６】
前記第一の確定モジュールは具体的に、
前記少なくとも一つのビーム伝送信号の信号強度及び／又は信号品質、及び前記第一の信号強度閾値及び／又は前記第一の信号品質閾値に基づき、セルセット又はビームセットを確定し、
基準に従って前記セルセットにおけるセルをソートし、そしてソート結果に基づいて前記ターゲットセルを確定し、又は
基準に従って前記ビームセットにおけるビームをソートし、そしてソート結果に基づいて前記ターゲットビームを確定するように構成されることを特徴とする
請求項３４に記載のビーム測定装置。
【請求項３７】
前記第一の確定モジュールはさらに、
前記少なくとも一つのビーム伝送信号の信号強度及び／又は信号品質、及び前記第一の信号強度閾値及び／又は前記第一の信号品質閾値に基づき、セルセット又はビームセットを確定し、
周波数優先度に基づいて前記セルセット又は前記ビームセットから前記ターゲットビーム又は前記ターゲットセルを確定するように構成され、前記周波数優先度がセルの周波数の周波数優先度又はビームの周波数の周波数優先度を示すことに用いられることを特徴とする
請求項３４に記載のビーム測定装置。
【請求項３８】
前記ビーム測定装置はさらに、
前記端末にサービングされたセル伝送信号の信号強度及び／又は信号品質が第二の信号強度及び／又は第二の信号品質閾値より低いことを確定するように構成される第四の確定モジュールを備え、又は
前記第四の確定モジュールはさらに前記端末にサ―ビングされたビーム伝送信号の信号強度及び／又は信号品質が第二の信号強度及び／又は第二の信号品質閾値より低いことを確定するように構成されることを特徴とする
請求項３３に記載のビーム測定装置。
【請求項３９】
前記受信モジュールは具体的に、
ネットワーク側装置から送信された専用シグナリングを受信するように構成され、前記専用シグナリングに前記少なくとも一つのビームにおける各ビームの測定構成情報が含まれることを特徴とする
請求項２４−３８のいずれか一項に記載のビーム測定装置。
【請求項４０】
前記受信モジュールは具体的に、
ネットワーク側装置から送信されたシステム情報を受信するように構成され、前記システム情報に前記少なくとも一つのビームにおける各ビームの測定構成情報が含まれることを特徴とする
請求項２４−３８のいずれか一項に記載のビーム測定装置。
【請求項４１】
ビーム測定装置であって、
端末へ少なくとも一つのビームの測定構成情報を送信するように構成される第一の送信モジュールであって、前記測定構成情報がビームの測定に用いられる第一の送信モジュールと、
前記ターゲットビーム及び／又はターゲットセルを介して情報を送信するように構成される通信モジュールであって、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルである通信モジュールとを備える、前記ビーム測定装置。
【請求項４２】
前記少なくとも一つのビームが同じセルに属することを特徴とする
請求項４１に記載のビーム測定装置。
【請求項４３】
前記少なくとも一つのビームが複数のビームであり、前記複数のビームがそれぞれ複数のセルに属することを特徴とする
請求項４１に記載のビーム測定装置。
【請求項４４】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項４１−４３のいずれか一項に記載のビーム測定装置。
【請求項４５】
前記通信モジュールは具体的に、
前記端末へ専用シグナリングを送信するように構成され、前記専用シグナリングに前記少なくとも一つのビームの測定構成情報が含まれることを特徴とする
請求項４１−４４のいずれか一項に記載のビーム測定装置。
【請求項４６】
前記通信モジュールは具体的に、
前記端末へシステム情報を送信するように構成され、前記システム情報に前記少なくとも一つのビームの測定構成情報が含まれることを特徴とする
請求項４１−４４のいずれか一項に記載のビーム測定装置。
【発明の詳細な説明】
【技術分野】
【０００１】
本発明の実施例は通信分野に関し、且つより具体的には、ビーム測定方法及び装置に関する。
【背景技術】
【０００２】
長期進化型（ＬＴＥ：Ｌｏｎｇ  Ｔｅｒｍ  Ｅｖｏｌｕｔｉｏｎ）システムでは、端末がセルにアクセスした後、該セルの属するネットワーク側装置は該端末に適するデータを伝送するためのビームを端末に割り当て、該ネットワーク側装置は端末の位置情報に基づき、ビームのビームフォーミングを調整することにより、端末からの伝送信号の信号品質及び／又は信号強度を向上させることができる。しかし、該ネットワーク側装置にアクセスした端末の数が非常に多く、分布範囲が広く、且つ移動速度が速い場合、ネットワーク側装置がビームフォーミングのみを調整することで伝送信号の品質を向上する方法は、ネットワーク側装置の負荷を増大させる。
【発明の概要】
【発明が解決しようとする課題】
【０００３】
本発明はネットワーク側装置がビームフォーミングのみを調整することで、端末からの伝送信号の品質を向上させ、ネットワーク側装置の負荷を軽減するように、ビーム測定方法及び装置を提供する。
【課題を解決するための手段】
【０００４】
第一の態様によるビーム測定方法は、端末が測定構成情報に基づいて
少なくとも一つのビームを測定することであって、前記測定構成情報が前記少なくとも一つのビームの測定に用いられることと、前記端末が前記少なくとも一つのビームの測定量（ｍｅａｓｕｒｅｍｅｎｔ  ｑｕａｎｔｉｔｙ）に基づき、ターゲットビーム及び／又はターゲットセルを確定することであって、前記ターゲットビーム及び／又は前記ターゲットセルが、前記端末がキャンプすることができるビーム及び／又はセルであることとを含む。
【０００５】
端末が少なくとも一つのビームの測定量に基づき、キャンプすることができるターゲットビーム及び／又はターゲットセルを確定することにより、ネットワーク側装置が該端末のためにキャンプすることができるターゲットビーム及び／又はターゲットセルを確定する必要がなく、ネットワーク側装置の負荷を軽減する。
【０００６】
第一の態様と組み合わせ、第一の態様の一つの可能な実施形態では、前記方法はさらに前記端末がネットワーク側装置から送信された前記測定構成情報を受信することを含む。
【０００７】
第一の態様又は上記のいずれかの可能な実施形態と組み合わせ、第一の態様の一つの可能な実施形態では、前記少なくとも一つのビームが同じセルに属する。
【０００８】
端末が同じセルの少なくとも一つのビームの測定量に基づき、該セルの複数のビームにおいてキャンプすることができるターゲットビームを選択することにより、端末とネットワーク側装置の間の通信の品質を向上させる。
【０００９】
第一の態様又は上記のいずれかの可能な実施形態と組み合わせ、第一の態様の一つの可能な実施形態では、前記少なくとも一つのビームが複数のビームであり、前記複数のビームがそれぞれ複数のセルに属する。
【００１０】
端末が異なるセルの複数のビームの測定量に基づき、複数のセルの複数のビームにおいてキャンプすることができるターゲットビームを選択することにより、端末とネットワーク側装置の間の通信の品質を向上させる。
【００１１】
第一の態様又は上記のいずれかの可能な実施形態と組み合わせ、第一の態様の一つの可能な実施形態では、前記端末が前記少なくとも一つのビームの測定量に基づき、ターゲットビーム及び／又はターゲットセルを確定することは、前記端末が前記複数のビームの測定量に基づき、前記複数のセルの測定量を確定することと、前記端末が前記複数のセルの測定量に基づき、前記複数のセルから前記ターゲットセルを確定することとを含む。
【００１２】
端末がビームの測定量に基づいてビームの属するセルの測定量を確定し、セルにおける複数のビームの伝送信号品質全体が良いセルをターゲットセルとして選択することにより、あるビームの測定量のみに基づいてターゲットセルを確定する時に、端末によって選択されたターゲットビームの属するターゲットセルの信号伝送品質全体が低いことを回避する。
【００１３】
第一の態様又は上記のいずれかの可能な実施形態と組み合わせ、第一の態様の一つの可能な実施形態では、前記方法はさらに前記端末が前記ターゲットセルのビームの測定量に基づき、前記ターゲットセルのビームから前記ターゲットビームを確定することを含む。
【００１４】
端末がセルの複数のビームの信号伝送品質全体が良いセルにおいてターゲットセルを選択することにより、あるビームの測定量のみに基づいてターゲットセルを確定する時に、端末によって選択されたターゲットビームの属するターゲットセルの信号伝送品質全体が低いことを回避する。
【００１５】
第一の態様又は上記のいずれかの可能な実施形態では、第一の態様の一つの可能な実施形態では、前記方法はさらに前記端末が前記少なくとも一つのビームの測定量に基づき、少なくとも一つの候補ビーム及び／又は少なくとも一つの候補セルを確定することであって、前記少なくとも一つの候補ビーム及び／又は少なくとも一つの候補セルは、前記ターゲットビーム及び／又は前記ターゲットセルが適切でない場合、前記端末がキャンプすることができるビーム及び／又はセルであることを含む。
【００１６】
端末がターゲットセル及び／又はターゲットビームを確定する時に、候補セル及び／又は候補ビームを確定することにより、端末とネットワーク側装置の間の通信の連続性を向上させる。
【００１７】
第一の態様又は上記のいずれかの可能な実施形態と組み合わせ、第一の態様の一つの可能な実施形態では、前記端末が前記少なくとも一つのビームの測定量に基づき、ターゲットビーム及び／又はターゲットセルを確定することは、前記端末が前記少なくとも一つのビーム伝送信号の信号強度及び／又は信号品質に基づき、前記ターゲットビーム及び／又は前記ターゲットセルを確定することを含む。
【００１８】
第一の態様又は上記のいずれかの可能な実施形態と組み合わせ、第一の態様の一つの可能な実施形態では、前記端末が前記少なくとも一つのビーム伝送信号の信号強度及び／又は信号品質に基づき、前記ターゲットビーム及び／又は前記ターゲットセルを確定することは、前記端末が前記少なくとも一つのビーム伝送信号の信号強度及び／又は信号品質に基づき、前記少なくとも一つのビームにおける伝送信号の信号強度及び／又は信号品質が最も良いビームを確定することであって、前記伝送信号の信号強度及び／又は信号品質が最も良いビームが前記ターゲットビームであることを含む。
【００１９】
第一の態様又は上記のいずれかの可能な実施形態と組み合わせ、第一の態様の一つの可能な実施形態では、前記測定構成情報は、周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【００２０】
第一の態様又は上記のいずれかの可能な実施形態と組み合わせ、第一の態様の一つの可能な実施形態では、前記端末が前記少なくとも一つのビーム伝送信号の信号強度及び／又は信号品質に基づき、前記ターゲットビーム及び／又は前記ターゲットセルを確定することは、前記端末が前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定することを含む。
【００２１】
第一の態様又は上記のいずれかの可能な実施形態と組み合わせ、第一の態様の一つの可能な実施形態では、前記端末が前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定することは、前記端末が前記少なくとも一つのビーム伝送信号の信号強度及び／又は信号品質、及び前記第一の信号強度閾値及び／又は前記第一の信号品質閾値に基づき、セルセット及び／又はビームセットを確定することと、前記端末が前記セルセット又は前記ビームセットから、伝送信号の信号強度及び／又は信号品質が最も良いセル又はビームを、ターゲットセル又はターゲットビームとして確定することとを含む。
【００２２】
第一の態様又は上記のいずれかの可能な実施形態と組み合わせ、第一の態様の一つの可能な実施形態では、前記端末が前記少なくとも一つのビーム伝送信号の信号強度及び／又は信号品質、及び第一の信号強度閾値及び／又は第一の信号品質閾値に基づき、前記ターゲットビーム及び／又は前記ターゲットセルを確定することは、前記端末が前記少なくとも一つのビーム伝送信号の信号強度及び／又は信号品質、及び前記第一の信号強度閾値及び／又は前記第一の信号品質閾値に基づき、セルセット又はビームセットを確定することと、前記端末が基準に従って前記セルセットにおけるセルをソートし、そしてソート結果に基づいて前記ターゲットセルを確定すること、又は前記端末が基準に従って前記ビームセットにおけるビームをソートし、そしてソート結果に基づいて前記ターゲットビームを確定することとを含む。
【００２３】
第一の態様又は上記のいずれかの可能な実施形態と組み合わせ、第一の態様の一つの可能な実施形態では、前記端末が前記少なくとも一つのビーム伝送信号の信号強度及び／又は信号品質、及び第一の信号強度閾値及び／又は第一の信号品質閾値に基づき、前記ターゲットビーム及び／又は前記ターゲットセルを確定することは、前記端末が前記少なくとも一つのビーム伝送信号の信号強度及び／又は信号品質、及び前記第一の信号強度閾値及び／又は前記第一の信号品質閾値に基づき、セルセット又はビームセットを確定することと、前記端末が周波数優先度に基づいて前記セルセット又は前記ビームセットから前記ターゲットビーム又は前記ターゲットセルを確定することであって、前記周波数優先度がセルの周波数の周波数優先度又はビームの周波数の周波数優先度を示すことに用いられることとを含む。
【００２４】
第一の態様又は上記のいずれかの可能な実施形態と組み合わせ、第一の態様の一つの可能な実施形態では、前記端末が前記少なくとも一つのビームの測定量を確定する前に、前記方法はさらに前記端末が前記端末にサービングされたセル伝送信号の信号強度及び／又は信号品質が第二の信号強度閾値及び／又は第二の信号品質閾値より低いことを確定すること、又は、前記端末が前記端末にサ―ビングされたビーム伝送信号の信号強度及び／又は信号品質が第二の信号強度閾値及び／又は第二の信号品質閾値より低いことを確定することを含む。
【００２５】
第一の態様又は上記のいずれかの可能な実施形態と組み合わせ、第一の態様の一つの可能な実施形態では、前記端末がネットワーク側装置から送信された少なくとも一つのビームにおける各ビームの測定構成情報を受信することは、前記端末がネットワーク側装置から送信された専用シグナリングを受信することであって、前記専用シグナリングに前記少なくとも一つのビームにおける各ビームの測定構成情報が含まれることを含む。
【００２６】
第一の態様又は上記のいずれかの可能な実施形態と組み合わせ、第一の態様の一つの可能な実施形態では、前記端末がネットワーク側装置から送信された少なくとも一つのビームにおける各ビームの測定構成情報を受信することは、前記端末がネットワーク側装置から送信されたシステム情報を受信することであって、前記システム情報に前記少なくとも一つのビームにおける各ビームの測定構成情報が含まれることを含む。
【００２７】
第二の態様によるビーム測定方法は、ネットワーク側装置が端末へ少なくとも一つのビームの測定構成情報を送信することであって、前記測定構成情報がビームの測定に用いられることと、前記ネットワーク側装置が前記ターゲットビーム及び／又はターゲットセルを介して情報を送信することであって、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルであることとを含む。
【００２８】
端末が少なくとも一つのビームの測定量に基づき、キャンプすることができるターゲットビーム及び／又はターゲットセルを確定することにより、ネットワーク側装置が該端末のためにキャンプすることができるターゲットビーム及び／又はターゲットセルを確定する必要がなく、ネットワーク側装置の負荷を軽減する。
【００２９】
第二の態様と組み合わせ、第二の態様の一つの可能な実施形態では、前記少なくとも一つのビームが同じセルに属する。
【００３０】
端末が同じセルの少なくとも一つのビームの測定量に基づき、該セルの複数のビームにおいてキャンプすることができるターゲットビームを選択することにより、端末とネットワーク側装置の間の通信の品質を向上させる。
【００３１】
第二の態様又は上記のいずれかの可能な実施形態と組み合わせ、第二の態様の一つの可能な実施形態では、前記少なくとも一つのビームが複数のビームであり、前記複数のビームがそれぞれ複数のセルに属する。
【００３２】
端末が異なるセルの複数のビームの測定量に基づき、複数のセルの複数のビームにおいてキャンプすることができるターゲットビームを選択することにより、端末とネットワーク側装置の間の通信の品質を向上させる。
【００３３】
第二の態様又は上記のいずれかの可能な実施形態と組み合わせ、第二の態様の一つの可能な実施形態では、前記測定構成情報は周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【００３４】
第二の態様又は上記のいずれかの可能な実施形態と組み合わせ、第二の態様の一つの可能な実施形態では、前記ネットワーク側装置が前記端末へ少なくとも一つのビームの測定構成情報を送信することは、前記ネットワーク側装置が前記端末へ専用シグナリングを送信することであって、前記専用シグナリングに前記少なくとも一つのビームの測定構成情報が含まれることを含む。
【００３５】
第二の態様又は上記のいずれかの可能な実施形態と組み合わせ、第二の態様の一つの可能な実施形態では、前記ネットワーク側装置が前記端末へ少なくとも一つのビームの測定構成情報を送信することは、前記ネットワーク側装置が前記端末へシステム情報を送信することであって、前記システム情報に前記少なくとも一つのビームの測定構成情報が含まれることを含む。
【００３６】
第三の態様によるビーム測定装置は、第一の態様における方法を実行するためのモジュールを備える。
【００３７】
第四の態様によるビーム測定装置は、第二の態様における方法を実行するためのモジュールを備える。
【００３８】
第五の態様によるビーム測定装置は、メモリ、プロセッサ、入力／出力インタフェース、通信インタフェースとバスシステムを備える。ここで、メモリ、プロセッサ、入力／出力インタフェースと通信インタフェースはバスシステムを介して接続し、該メモリが命令を記憶することに用いられ、該プロセッサが該メモリに記憶された命令を実行することに用いられ、前記命令が実行される場合、前記プロセッサは前記通信インタフェースによって第一の態様の方法を実行し、そして入力されたデータと情報を受信し、操作結果などのデータを出力するように入力／出力インタフェースを制御する。
【００３９】
第六の態様によるビーム測定装置は、メモリ、プロセッサ、入力／出力インタフェース、通信インタフェースとバスシステムを備える。ここで、メモリ、プロセッサ、入力／出力インタフェースと通信インタフェースはバスシステムを介して接続し、該メモリが命令を記憶することに用いられ、該プロセッサが該メモリに記憶された命令を実行することに用いられ、前記命令が実行される場合、前記プロセッサは前記通信インタフェースによって第二の態様の方法を実行し、そして入力されたデータと情報を受信し、操作結果などのデータを出力するように入力／出力インタフェースを制御する。
【００４０】
第七の態様によるコンピュータ可読記憶媒体は、検索リクエストを送信する方法のプログラムコードを記憶することに用いられ、前記プログラムコードが第一の態様における方法の命令を実行することに用いられる。
【００４１】
第八の態様によるコンピュータ可読記憶媒体は、検索リクエストを送信する方法のプログラムコードを記憶することに用いられ、前記プログラムコードが第二の態様における方法の命令を実行することに用いられる。
【図面の簡単な説明】
【００４２】
【図１】本発明の実施例によるビーム測定方法の応用シーンを示す図である。
【図２】本発明の別の実施例によるビーム測定方法の応用シーンを示す図である。
【図３】本発明の実施例によるビーム測定方法を示す概略フローチャートである。
【図４】本発明の別の実施例によるビーム測定方法を示す概略フローチャートである。
【図５】本発明の実施例によるビーム測定装置を示す概略ブロック図である。
【図６】本発明の実施例によるビーム測定装置を示す概略ブロック図である。
【図７】本発明の実施例によるビーム測定装置を示す概略ブロック図である。
【図８】本発明の実施例によるビーム測定装置を示す概略ブロック図である。
【発明を実施するための形態】
【００４３】
本発明の実施例の技術的解決策をより明確に説明するために、本発明の実施例に必要な図面を簡単に説明し、明らかに、以下に記載される図面が本発明のいくつかの実施例だけであり、当業者であれば、創造的な労力を要することなく、これらの図面に基づいて他の図面を得ることができる。
【００４４】
以下に本発明の実施例の図面を組み合わせながら、本発明の実施例における技術的解決策を明確で、全面的に説明し、明らかに、説明される実施例は本発明の一部の実施例だけであり、全ての実施例ではない。本発明の実施例に基づき、当業者が創造的な労力を要せずに得た他の実施例は、全て本発明の保護範囲に属する。
【００４５】
理解すべきものとして、本発明の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、５Ｇの新しいエアインタフェース（ＮＲ：Ｎｅｗ  Ｒａｄｉｏ）などに応用されてもよい。
【００４６】
また、理解すべきものとして、端末（Ｔｅｒｍｉｎａｌ）は端末装置又はユーザ装置（ＵＥ：Ｕｓｅｒ  Ｅｑｕｉｐｍｅｎｔ）と呼ばれてもよく、移動端末（Ｍｏｂｉｌｅ  Ｔｅｒｍｉｎａｌ）、移動ユーザ装置などと呼ばれてもよく、無線アクセスネットワーク（例えば、ＲＡＮ：Ｒａｄｉｏ  Ａｃｃｅｓ  Ｎｅｔｗｏｒｋ）を介して一つ又は複数のコアネットワークと通信することができ、ユーザ装置は移動端末、例えば移動電話（又は「セルラー」電話と呼ばれる）又は移動端末を備えたコンピュータであってもよく、例えば、ポータブル型、ポケット型、ハンドヘルド型、コンピュータ内蔵型又は車載移動端末であってもよく、それらが無線アクセスネットワークと音声及び／又はデータを交換する。
【００４７】
また、理解すべきものとして、ネットワーク装置は移動装置との通信に用いられるネットワーク装置などであってよく、ネットワーク装置は、ＷＬＡＮにおけるアクセスポイント（ＡＰ：ＡＣＣＥＳＳ  ＰＯＩＮＴ）、ＧＳＭ又は符号分割多元アクセス（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であってもよく、ＷＣＤＭＡにおける基地局（ＮＢ：ＮｏｄｅＢ）であってもよく、ＬＴＥ（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）であってもよく、又は中継局又はアクセスポイント、又は車載デバイス、ウェアラブルデバイス及び将来の５Ｇネットワークにおけるネットワーク装置又は将来の進化したＰＬＭＮネットワークにおけるネットワーク装置などであってもよい。
【００４８】
理解を容易にするために、まず本発明の実施例によるビーム測定方法の応用シーンを説明する。
【００４９】
図１は本発明の実施例によるビーム測定方法の応用シーンを示す図である。図１に示す応用シーンから分かるように、一つのセルにシグナリングを伝送するようにチャネルを制御するための一つのビーム（図１に示されない）が存在することができ、データチャネルでデータを伝送するための複数のビーム（図１のビーム１とビーム２を参照）が存在することができ、即ち、該セルにおいてシグナリングを伝送するようにチャネルを制御するための一つの「広いビーム」でセル全体を覆うことができ、データチャネルでシグナリングを伝送するための複数の「狭いビーム」でセル全体を覆うことができる。
【００５０】
図２は本発明の別の実施例によるビーム測定方法の応用シーンを示す図である。図２に示す応用シーンから分かるように、一つのセルに制御シグナリングを伝送するようにチャネルを制御するための複数の「狭いビーム」（図２に示すビーム１とビーム２を参照）が存在することができ、該セルにデータチャネルでデータを伝送するための複数の「狭いビーム」（図２に示すビーム３とビーム４を参照）が存在することもできる。端末１はビーム２を介してネットワーク側装置と制御シグナリングのインタラクションを行うことができ、端末１はビーム３を介してネットワーク側装置とデータを伝送することができ、端末２はビーム１を介してネットワーク側装置と制御シグナリングのインタラクションを行うことができ、端末２はビーム４を介してネットワーク側装置とデータを伝送することができる。即ち、端末はアイドル状態で基地局とシグナリングインタラクションを行う時に、制御シグナリングを伝送するようにチャネルを制御するための「狭いビーム」を介してネットワーク側装置とシグナリングインタラクションを行うことができる。該端末はさらにデータチャネルでデータを伝送するための「狭いビーム」を介してネットワーク側装置とデータ伝送を行うことができる。ここで、端末とネットワーク側装置の間の制御シグナリングを伝送するようにチャネルを制御するためのビーム、及び端末とネットワーク側装置の間のデータチャネルでデータを伝送するためのビームは同じであってもよく、異なるビームであってもよく、理解すべきものとして、図２において端末とネットワーク側装置の間の制御シグナリングを伝送するようにチャネルを制御するビーム、及び端末とネットワーク側装置の間のデータチャネルでデータを伝送するためのビームが異なることを例として説明する。
【００５１】
説明すべきものとして、「広いビーム」に対して「狭いビーム」の高いフォーミングゲインにより、端末とネットワーク側装置の間の伝送信号の信号品質及び／又は信号強度を向上させることができる。
【００５２】
図３は本発明の実施例によるビーム測定方法を示す概略フローチャートである。理解すべきものとして、図３に示す方法は図１と図２に示す応用シーンに用いられてもよく、他の応用シーンに適用されてもよく、本発明の実施例はこれに具体的に限定されない。図３に示す方法は３１０と３２０を含む。
【００５３】
３１０において、端末は測定構成情報に基づいて少なくとも一つのビームを測定し、前記測定構成情報が前記少なくとも一つのビームの測定に用いられる。
【００５４】
具体的には、上記の少なくとも一つのビームはシグナリングを伝送するようにチャネルを制御するためのビーム、及び／又はデータチャネルでデータを伝送するためのビームであってもよい。さらに、シグナリングを伝送するようにチャネルを制御するための上記のビームは、データチャネルでデータを伝送するためのビームと同じビームであってもよく、シグナリングを伝送するようにチャネルを制御するための上記のビームはデータチャネルでデータを伝送するためのビームと異なるビームであってもよい。
【００５５】
上記端末はアイドル状態にある端末であってもよく、該端末とネットワーク側装置の間に非アクセス層（ＮＡＳ：Ｎｏｎ−ａｃｃｅｓｓ  ｓｔｒａｔｕｍ）又はアクセス層（ＡＳ：Ａｃｃｅｓｓ  Ｓｔｒａｔｕｍ）シグナリング接続が確立されないことを指すことができる。
【００５６】
理解すべきものとして、上記の少なくとも一つのビームは一つの測定構成情報に対応することができ、例えば、端末によって測定された少なくとも一つのビームはビーム１、ビーム２とビーム３を含むことができ、該ビーム１、ビーム２とビーム３が一つの測定構成情報に対応することができ、即ち、該測定構成情報がビーム１のビームＩＤ、ビーム２のビームＩＤとビーム３のビームＩＤを含むことができ、測定構成情報が少なくとも一つの測定構成情報である場合、上記の少なくとも一つのビームと少なくとも一つの測定構成情報は一対一関係であってもよく、即ち、各測定構成情報は一つの測定待ちビームのビームＩＤを含むことができる。
【００５７】
選択可能に、上記の少なくとも一つのビームが同じセルに属してもよく、上記の少なくとも一つのビームがそれぞれ異なるセルに属してもよい。
【００５８】
例えば、少なくとも一つのビームが複数のビームを含む場合、該少なくとも一つのビームにおける一部のビームは一つのセル（例えば第一のセル）に属してもよく、該少なくとも一つのビームにおける第一のセルのビーム以外のビームは別のセル（例えば第二のセル）に属してもよい。第一のセルは第二のセルの隣セルであってもよい。
【００５９】
選択可能に、上記測定構成情報は、一つの測定オブジェクト識別子（例えばビームＩＤ）に対応する測定ＩＤ、測定量を示すための測定量構成、ビームの周波数又はセルの周波数の優先度を示すための周波数優先度、端末がビームを測定し始める閾値を示すための第二の信号強度閾値、端末がビームを測定し始める閾値を示すための第二の信号品質閾値を含むことができる。
【００６０】
説明すべきものとして、該測定構成情報がビーム測定のための測定構成情報であり、従来技術におけるセル測定のための測定構成情報と類似し、セル測定構成情報に含まれるセルに関連する情報内容をビームに関連する情報内容として構成することができる。例えば、セルの測定構成情報におけるサ―ビングセル品質閾値をサ―ビングビーム品質閾値として構成することができる。
【００６１】
選択可能に、上記測定構成情報はさらにビームフォーミングに関連する構成情報を含むことができ、例えば、該測定構成情報はビームを送信するアンテナポート番号などの情報を含むことができる。
【００６２】
３２０において、前記端末は前記少なくとも一つのビームの測定量に基づき、ターゲットビーム及び／又はターゲットセルを確定し、前記ターゲットビーム及び／又は前記ターゲットセルが、前記端末がキャンプすることができるビーム及び／又はセルである。
【００６３】
具体的には、各ビームが一つのセルに対応するため、端末はキャンプすることができるターゲットビームを確定した後、該ビームの属するセルを確定し、該セルがターゲットセルである。
【００６４】
上記の少なくとも一つのビームの測定量は、該一つの測定量に含まれる少なくとも一つのビームにおける各ビームの測定量を指すことができ、また少なくとも一つのビームが少なくとも一つの測定量と一対一で対応することを指すことができ、本発明はこれに具体的に限定されない。
【００６５】
選択可能に、一つの実施例として、図３に示す方法はさらに前記端末がネットワーク側装置から送信された前記測定構成情報を受信することを含む。
【００６６】
理解すべきものとして、上記測定構成情報はネットワーク側装置から端末に送信されたものであってもよく、端末によってメンテナンスされた測定構成データベースにおける測定構成情報であってもよい。本発明の実施例では端末が測定構成情報を取得する方式が具体的に限定されない。
【００６７】
選択可能に、前記端末がネットワーク側装置から送信された少なくとも一つのビームにおける各ビームの測定構成情報を受信することは、前記端末がネットワーク側装置から送信された専用シグナリングを受信し、前記専用シグナリングに前記少なくとも一つのビームにおける各ビームの測定構成情報が含まれることを含む。
【００６８】
選択可能に、前記端末がネットワーク側装置から送信された少なくとも一つのビームにおける各ビームの測定構成情報を受信することは、前記端末がネットワーク側装置から送信されたシステム情報を受信し、前記システム情報に前記少なくとも一つのビームにおける各ビームの測定構成情報が含まれることを含む。
【００６９】
選択可能に、一つの実施例として、前記端末が前記少なくとも一つのビームの測定量に基づき、ターゲットビーム及び／又はターゲットセルを確定することは、前記端末が前記複数のビームの測定量に基づき、前記複数のセルの測定量を確定することと、前記端末が前記複数のセルの測定量に基づき、前記複数のセルから前記ターゲットセルを確定することとを含む。
【００７０】
具体的には、上記の複数のセルの測定量がセルのビームの測定量に基づいて確定されたものである。該セルの複数のビームの測定量を重み付けて平均化し又は平均化したセルの測定量を指すことができる。又は、端末がビームを測定する時に、該端末によって測定された１番目のビームの測定量がプリセット閾値を満たすビームの位置するセル（該ポリシーは端末が初めてターゲットセルを選択することのみに適用する）を指すことができる。又は、端末がビームを測定した後、測定量の最も良いビームの位置するセルがターゲットセルであることを指すことができる。又は、端末がビームを測定した後、ビーム測定量が閾値を満たす割合又は絶対数の最も多いセルがターゲットセルであることを確定することを指すことができる。理解すべきものとして、本発明の実施例では上記の複数のビームの測定量からセルの測定量を確定する方式が具体的に限定されない。
【００７１】
例えば、セル１のｎ個のビームに対応する測定量がそれぞれＱ１、Ｑ２、Ｑ３......Ｑｎである場合、セル１の測定量が 
【数１】
2020502862.tif 000003
【００７２】
である。
【００７３】
セル１のｎ個のビームに対応する測定量がそれぞれＱ１、Ｑ２、Ｑ３......Ｑｎである場合、セル１の測定量が 
【数２】
2020502862.tif 000004
【００７４】
であり、ここで、ａ１、ａ２、ａ３......ａｎがセル１の各ビームの重みである。
【００７５】
説明すべきものとして、上記重みはネットワーク側から端末に構成されたものであってもよく、端末がそれ自体でメンテナンスしたものであってもよく、本発明はこれに具体的に限定されない。
【００７６】
選択可能に、一つの実施例として、前記方法はさらに前記端末が前記ターゲットセルのビームの測定量に基づき、前記ターゲットセルのビームから前記ターゲットビームを確定することを含む。
【００７７】
具体的には、上記端末はターゲットセルを確定した後、該ターゲットセルのビームの測定量が最も良いビームをターゲットビームとして選択することができ、また測定量が測定量閾値より高い複数のビームから一つのビームをターゲットビームとしてランダムに選択することができ、またターゲットビームから一つのビームをターゲットビームとして直接ランダムに選択することができ、本発明の実施例はこれに具体的に限定されない。
【００７８】
選択可能に、一つの実施例として、前記方法はさらに前記端末が前記少なくとも一つのビームの測定量に基づき、少なくとも一つの候補ビーム及び／又は少なくとも一つの候補セルを確定し、前記少なくとも一つの候補ビーム及び／又は少なくとも一つの候補セルが、前記ターゲットビーム及び／又は前記ターゲットセルが適切でない場合、前記端末がキャンプすることができるビーム及び／又はセルであることを含む。
【００７９】
選択可能に、一つの実施例として、前記端末が前記少なくとも一つのビームの測定量に基づき、ターゲットビーム及び／又はターゲットセルを確定することは、前記端末が前記少なくとも一つのビーム伝送信号の信号強度及び／又は信号品質に基づき、前記ターゲットビーム及び／又は前記ターゲットセルを確定することを含む。
【００８０】
理解すべきものとして、上記ビームの測定量はビーム伝送信号の信号強度及び／又は信号品質を指すことができ、また処理されたビーム伝送信号の信号強度及び／又は信号品質を指すことができ、例えば、ビームの測定量はビーム伝送信号の信号強度及び／又は信号品質にオフセット量を追加したものなどであってもよく、本発明は測定量の具体的な表示形態を限定しない。
【００８１】
選択可能に、一つの実施例として、前記端末が前記少なくとも一つのビーム伝送信号の信号強度及び／又は信号品質に基づき、前記ターゲットビーム及び／又は前記ターゲットセルを確定することは、前記端末が前記少なくとも一つのビーム伝送信号の信号強度及び／又は信号品質に基づき、前記少なくとも一つのビームにおける伝送信号の信号強度及び／又は信号品質が最も良いビームを確定し、前記伝送信号の信号強度及び／又は信号品質が最も良いビームが前記ターゲットビームであることを含む。
【００８２】
選択可能に、一つの実施例として、前記端末が前記少なくとも一つのビーム伝送信号の信号強度及び／又は信号品質に基づき、前記ターゲットビーム及び／又は前記ターゲットセルを確定することは、前記端末が前記少なくとも一つのビームにおける各ビーム伝送信号の信号強度及び／又は信号品質、及び第一の信号強度閾値及び／又は第一の信号品質閾値に基づき、前記ターゲットビーム及び／又は前記ターゲットセルを確定することを含む。
【００８３】
理解すべきものとして、上記第一の信号強度閾値及び／又は第一の信号品質閾値は予め設定されたものであってもよく、ネットワーク側装置が端末のために設定したものであってもよく、該第一の信号強度閾値及び／又は第一の信号品質閾値はさらにネットワーク側装置が測定構成情報によって端末に送信されたものであってもよく、本発明はこれに具体的に限定されない。
【００８４】
選択可能に、一つの実施例として、前記端末が前記少なくとも一つのビーム伝送信号の信号強度及び／又は信号品質、及び第一の信号強度閾値及び／又は第一の信号品質閾値に基づき、前記ターゲットビーム及び／又は前記ターゲットセルを確定することは、前記端末が前記少なくとも一つのビーム伝送信号の信号強度及び／又は信号品質、及び前記第一の信号強度閾値及び／又は前記第一の信号品質閾値に基づき、セルセット又はビームセットを確定することと、前記端末がセル優先度に基づいて前記セルセットから前記ターゲットセルを確定すること、又は前記端末がビーム優先度に基づいて前記ビームセットから前記ターゲットビームを確定することとを含む。
【００８５】
選択可能に、一つの実施例として、前記端末が前記少なくとも一つのビーム伝送信号の信号強度及び／又は信号品質、及び第一の信号強度閾値及び／又は第一の信号品質閾値に基づき、前記ターゲットビーム及び／又は前記ターゲットセルを確定することは、前記端末が前記少なくとも一つのビーム伝送信号の信号強度及び／又は信号品質、及び前記第一の信号強度閾値及び／又は前記第一の信号品質閾値に基づき、セルセット又はビームセットを確定することと、前記端末が周波数優先度に基づいて前記セルセット又は前記ビームセットから前記ターゲットビーム又は前記ターゲットセルを確定し、前記周波数優先度がセルの周波数の周波数優先度又はビームの周波数の周波数優先度を示すことに用いられることとを含む。
【００８６】
選択可能に、一つの実施例として、前記端末が前記少なくとも一つのビーム伝送信号の信号強度及び／又は信号品質、及び前記第一の信号強度閾値及び／又は前記第一の信号品質閾値に基づき、前記ターゲットビーム及び／又は前記ターゲットセルを確定することは、前記少なくとも一つのビーム伝送信号の信号強度及び／又は信号品質、及び前記第一の信号強度閾値及び／又は前記第一の信号品質閾値に基づき、セルセット又はビームセットを確定することと、前記端末が前記セルセット又は前記ビームセットから、伝送信号の信号強度及び／又は信号品質が最も良いセル又はビームを、ターゲットセル又はターゲットビームとして確定することとを含む。
【００８７】
選択可能に、一つの実施例として、前記端末が前記少なくとも一つのビームの測定量を確定する前に、前記方法はさらに前記端末が前記端末にサ―ビングされたセル伝送信号の信号強度及び／又は信号品質が第二の信号強度及び／又は第二の信号品質閾値より低いことを確定すること、又は前記端末が前記端末にサ―ビングされたビーム伝送信号の信号強度及び／又は信号品質が第二の信号強度及び／又は第二の信号品質閾値より低いことを確定することを含む。
【００８８】
理解すべきものとして、上記第二の信号強度閾値及び／又は第二の信号品質閾値は予め設定されたものであってもよく、ネットワーク側装置が端末のために設定したものであってもよく、該第二の信号強度閾値及び／又は第二の信号品質閾値はさらにネットワーク側装置が測定構成情報によって端末に送信されたものであってもよく、本発明はこれに具体的に限定されない。
【００８９】
図４は本発明の別の実施例によるビーム測定方法を示す概略フローチャートである。理解すべきものとして、図４に示す方法が図３に示す方法に対応し、簡潔にするために、詳細はここで説明されない。図４に示す方法は４１０と４２０を含む。
【００９０】
４１０において、ネットワーク側装置は端末へ少なくとも一つのビームの測定構成情報を送信し、前記測定構成情報がビームの測定に用いられる。
【００９１】
４２０において、前記ネットワーク側装置は前記ターゲットビーム及び／又はターゲットセルを介して情報を送信し、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルである。
【００９２】
具体的には、上記ネットワーク側装置は前記ターゲットビーム及び／又はターゲットセルを介して情報を送信することは、前記ネットワーク側装置が前記ターゲットビーム及び／又はターゲットセルを介して情報をブロードキャストで送信することを指すことができ、またネットワーク側装置が前記ターゲットビーム及び／又はターゲットセルを介して上記端末へ情報を送信することができ、またネットワーク側装置が前記ターゲットビーム及び／又はターゲットセルを介して上記端末と通信することができる。
【００９３】
選択可能に、一つの実施例として、前記少なくとも一つのビームが同じセルに属する。
【００９４】
選択可能に、一つの実施例として、前記少なくとも一つのビームが複数のビームであり、前記複数のビームがそれぞれ複数のセルに属する。
【００９５】
選択可能に、一つの実施例として、前記測定構成情報は、周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【００９６】
選択可能に、一つの実施例として、前記ネットワーク側装置が前記端末へ少なくとも一つのビームの測定構成情報を送信することは、前記ネットワーク側装置が前記端末へ専用シグナリングを送信し、前記専用シグナリングに前記少なくとも一つのビームの測定構成情報が含まれることを含む。
【００９７】
選択可能に、一つの実施例として、前記ネットワーク側装置が前記端末へ少なくとも一つのビームの測定構成情報を送信することは、前記ネットワーク側装置が前記端末へシステム情報を送信し、前記システム情報に前記少なくとも一つのビームの測定構成情報が含まれることを含む。
【００９８】
以上に図１〜図４を組み合わせて本発明の実施例によるビーム測定方法を詳細に説明し、以下に図５〜図８を組み合わせて本発明の実施例によるビーム測定装置を詳細に説明する。理解すべきものとして、図８と図７に示す装置は図３における各ステップを実現することができ、図６と図８に示す装置は図４における各ステップを実現することができ、繰り返しを回避するために、ここで詳細に説明しない。
【００９９】
図５は本発明の実施例によるビーム測定装置を示す概略ブロック図である。図５に示す装置５００は測定モジュール５１０と第一の確定モジュール５２０を備える。
【０１００】
測定モジュール５１０は測定構成情報に基づいて少なくとも一つのビームを測定するように構成され、前記測定構成情報が前記少なくとも一つのビームを測定することに用いられる。
【０１０１】
第一の確定モジュール５２０は、前記少なくとも一つのビームの測定量に基づき、ターゲットビーム及び／又はターゲットセルを確定するように構成され、前記ターゲットビーム及び／又はターゲットセルが、前記端末がキャンプすることができるビーム及び／又はセルである。
【０１０２】
選択可能に、一つの実施例として、前記装置はさらにネットワーク側装置から送信された前記測定構成情報を受信するように構成される受信モジュールを備える。
【０１０３】
選択可能に、一つの実施例として、前記少なくとも一つのビームが同じセルに属する。
【０１０４】
選択可能に、一つの実施例として、前記少なくとも一つのビームが複数のビームであり、前記複数のビームがそれぞれ複数のセルに属する。
【０１０５】
選択可能に、一つの実施例として、前記第一の確定モジュールは具体的に前記複数のビームの測定量に基づき、前記複数のセルの測定量を確定し、前記複数のセルの測定量に基づき、前記複数のセルから前記ターゲットセルを確定するように構成される。
【０１０６】
選択可能に、一つの実施例として、前記装置はさらに前記ターゲットセルのビームの測定量に基づき、前記ターゲットセルのビームから前記ターゲットビームを確定するように構成される第二の確定モジュールを備える。
【０１０７】
選択可能に、一つの実施例として、前記装置はさらに前記少なくとも一つのビームの測定量に基づき、少なくとも一つの候補ビーム及び／又は少なくとも一つの候補セルを確定するように構成され、前記少なくとも一つの候補ビーム及び／又は少なくとも一つの候補セルが、前記ターゲットビーム及び／又は前記ターゲットセルが適切でない場合、前記端末がキャンプすることができるビーム及び／又はセルである第三の確定モジュールを備える。
【０１０８】
選択可能に、一つの実施例として、前記第一の確定モジュールは具体的に前記少なくとも一つのビーム伝送信号の信号強度及び／又は信号品質に基づき、前記ターゲットビーム及び／又は前記ターゲットセルを確定するように構成される。
【０１０９】
選択可能に、一つの実施例として、第一の確定モジュールは具体的に前記少なくとも一つのビーム伝送信号の信号強度及び／又は信号品質に基づき、前記少なくとも一つのビームにおける伝送信号の信号強度及び／又は信号品質が最も良いビームを確定するように構成され、前記伝送信号の信号強度及び／又は信号品質が最も良いビームが前記ターゲットビームである。
【０１１０】
選択可能に、一つの実施例として、前記測定構成情報は、周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【０１１１】
選択可能に、一つの実施例として、前記第一の確定モジュールは具体的に前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定するように構成される。
【０１１２】
選択可能に、一つの実施例として、前記第一の確定モジュールは具体的に前記少なくとも一つのビーム伝送信号の信号強度及び／又は信号品質、及び前記第一の信号強度閾値及び／又は前記第一の信号品質閾値に基づき、セルセット及び／又はビームセットを確定し、前記セルセット又は前記ビームセットから、伝送信号の信号強度及び／又は信号品質が最も良いセル又はビームを、ターゲットセル又はターゲットビームとして確定するように構成される。
【０１１３】
選択可能に、一つの実施例として、前記第一の確定モジュールは具体的に前記少なくとも一つのビーム伝送信号の信号強度及び／又は信号品質、及び前記第一の信号強度閾値及び／又は前記第一の信号品質閾値に基づき、セルセット又はビームセットを確定し、基準に従って前記セルセットにおけるセルをソートし、そしてソート結果に基づいて前記ターゲットセルを確定し、又は基準に従って前記ビームセットにおけるビームをソートし、そしてソート結果に基づいて前記ターゲットビームを確定するように構成される。
【０１１４】
選択可能に、一つの実施例として、前記第一の確定モジュールはさらに前記少なくとも一つのビーム伝送信号の信号強度及び／又は信号品質、及び前記第一の信号強度閾値及び／又は前記第一の信号品質閾値に基づき、セルセット又はビームセットを確定し、周波数優先度に基づいて前記セルセット又は前記ビームセットから前記ターゲットビーム又は前記ターゲットセルを確定するように構成され、前記周波数優先度がセルの周波数の周波数優先度又はビームの周波数の周波数優先度を示すことに用いられる。
【０１１５】
選択可能に、一つの実施例として、前記装置は、前記端末にサービングされたセル伝送信号の信号強度及び／又は信号品質が第二の信号強度及び／又は第二の信号品質閾値より低いことを確定するように構成される第四の確定モジュールを備え、又は前記第四の確定モジュールは、さらに前記端末にサ―ビングされたビーム伝送信号の信号強度及び／又は信号品質が第二の信号強度及び／又は第二の信号品質閾値より低いことを確定するように構成される。
【０１１６】
選択可能に、一つの実施例として、前記受信モジュールは具体的に、ネットワーク側装置から送信された専用シグナリングを受信するように構成され、前記専用シグナリングに前記少なくとも一つのビームにおける各ビームの測定構成情報が含まれる。
【０１１７】
選択可能に、一つの実施例として、前記受信モジュールは具体的に
ネットワーク側装置から送信されたシステム情報を受信するように構成され、前記システム情報に前記少なくとも一つのビームにおける各ビームの測定構成情報が含まれる。
【０１１８】
図６は本発明の実施例によるビーム測定装置を示す概略ブロック図である。図６に示す装置６００は第一の送信モジュール６１０と通信モジュール６２０を備える。
【０１１９】
第一の送信モジュール６１０は、端末へ少なくとも一つのビームの測定構成情報を送信するように構成され、前記測定構成情報がビームの測定に用いられる。
【０１２０】
通信モジュール６２０は前記ターゲットビーム及び／又はターゲットセルを介して情報を送信するように構成され、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルである。
【０１２１】
選択可能に、一つの実施例として、前記少なくとも一つのビームが同じセルに属する。
【０１２２】
選択可能に、一つの実施例として、前記少なくとも一つのビームが複数のビームであり、前記複数のビームがそれぞれ複数のセルに属する。
【０１２３】
選択可能に、一つの実施例として、前記測定構成情報は周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【０１２４】
選択可能に、一つの実施例として、前記通信モジュールは具体的に前記端末へ専用シグナリングを送信するように構成され、前記専用シグナリングに前記少なくとも一つのビームの測定構成情報が含まれる。
【０１２５】
選択可能に、一つの実施例として、前記通信モジュールは具体的に前記端末へシステム情報を送信するように構成され、前記システム情報に前記少なくとも一つのビームの測定構成情報が含まれる。
【０１２６】
図７は本発明の実施例によるビーム測定装置を示す概略ブロック図である。図７に示す装置７００はメモリ７１０、プロセッサ７２０、入力／出力インタフェース７３０、通信インタフェース７４０とバスシステム７５０を備える。ここで、メモリ７１０、プロセッサ７２０、入力／出力インタフェース７３０と通信インタフェース７４０はバスシステム７５０を介して接続し、該メモリ７１０が命令を記憶することに用いられ、該プロセッサ７２０が該メモリ７１０に記憶された命令を実行し、入力されたデータと情報を受信し、操作結果などのデータを出力するように入力／出力インタフェース７３０を制御し、そして信号を送信するように通信インタフェース７４０を制御することに用いられる。
【０１２７】
プロセッサ７２０は測定構成情報に基づいて少なくとも一つのビームを測定するように構成され、前記測定構成情報が前記少なくとも一つのビームの測定に用いられる。
【０１２８】
前記プロセッサ７２０はさらに前記少なくとも一つのビームの測定量に基づき、ターゲットビーム及び／又はターゲットセルを確定するように構成され、前記ターゲットビーム及び／又は前記ターゲットセルが、前記端末がキャンプすることができるビーム及び／又はセルである。
【０１２９】
理解すべきものとして、本発明の実施例において、該プロセッサ７２０は、関連プログラムを実行し、本発明の実施例によって提供される技術的解決策を実現するために、汎用の中央プロセッサ（ＣＰＵ：Ｃｅｎｔｒａｌ  Ｐｒｏｃｅｓｓｉｎｇ  Ｕ  ｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は一つ又は複数の集積回路を用いることができる。
【０１３０】
また、理解すべきものとして、通信インタフェース７４０は送受信機のような送受信装置を用い、装置７００と他の装置又は通信ネットワークの間の通信を実現するがこれに限定されない。
【０１３１】
該メモリ７１０は読み取り専用メモリとランダムアクセスメモリを含み、そしてプロセッサ７２０に命令とデータを供給することができる。メモリ７１０の一部はさらに不揮発性ランダムアクセスメモリを含むことができる。例えば、メモリ７１０は、さらに装置タイプの情報を記憶することができる。
【０１３２】
該バスシステム７５０はデータバスに加えて、電源バス、制御バスと状態信号バスなどを含む。しかし、明確に説明するために、図において様々なバスがバスシステム７５０として標識される。
【０１３３】
実現プロセスにおいて、上記方法の各ステップはプロセッサ７２０におけるハードウェアの集積論理回路又はソフトウェア形態の命令により完了されてもよい。本発明の実施例と組み合わせて開示されるビーム測定方法のステップはハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ７１０に位置し、プロセッサ７２０はメモリ７１０における情報を読み取り、そのハードウェアと組み合わせて上記方法のステップを完了する。繰り返しを回避するために、ここで詳細な説明を省略する。
【０１３４】
選択可能に、一つの実施例として、前記通信インタフェースは、ネットワーク側から送信された前記測定構成情報を受信するように構成される。
【０１３５】
選択可能に、一つの実施例として、前記少なくとも一つのビームが同じセルに属する。
【０１３６】
選択可能に、一つの実施例として、前記少なくとも一つのビームが複数のビームであり、前記複数のビームがそれぞれ複数のセルに属する。
【０１３７】
選択可能に、一つの実施例として、前記プロセッサは具体的に前記複数のビームの測定量に基づき、前記複数のセルの測定量を確定し、前記複数のセルの測定量に基づき、前記複数のセルから前記ターゲットセルを確定するように構成される。
【０１３８】
選択可能に、一つの実施例として、前記プロセッサは、前記ターゲットセルのビームの測定量に基づき、前記ターゲットセルのビームから前記ターゲットビームを確定するように構成される。
【０１３９】
選択可能に、一つの実施例として、前記装置はさらに前記少なくとも一つのビームの測定量に基づき、少なくとも一つの候補ビーム及び／又は少なくとも一つの候補セルを確定するように構成され、前記少なくとも一つの候補ビーム及び／又は少なくとも一つの候補セルが、前記ターゲットビーム及び／又は前記ターゲットセルが適切でない場合、前記端末がキャンプすることができるビーム及び／又はセルである第三の確定モジュールを備える。
【０１４０】
選択可能に、一つの実施例として、前記プロセッサは具体的に前記少なくとも一つのビーム伝送信号の信号強度及び／又は信号品質に基づき、前記ターゲットビーム及び／又は前記ターゲットセルを確定するように構成される。
【０１４１】
選択可能に、一つの実施例として、前記プロセッサは具体的に前記少なくとも一つのビーム伝送信号の信号強度及び／又は信号品質に基づき、前記少なくとも一つのビームにおける伝送信号の信号強度及び／又は信号品質が最も良いビームを確定するように構成され、前記伝送信号の信号強度及び／又は信号品質が最も良いビームが前記ターゲットビームである。
【０１４２】
選択可能に、一つの実施例として、前記測定構成情報は、周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【０１４３】
選択可能に、一つの実施例として、前記プロセッサは具体的に前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定するように構成される。
【０１４４】
選択可能に、一つの実施例として、前記プロセッサは具体的に前記少なくとも一つのビーム伝送信号の信号強度及び／又は信号品質、及び前記第一の信号強度閾値及び／又は前記第一の信号品質閾値に基づき、セルセット及び／又はビームセットを確定し、前記セルセット又は前記ビームセットから、伝送信号の信号強度及び／又は信号品質が最も良いセル又はビームを、ターゲットセル又はターゲットビームとして確定するように構成される。
【０１４５】
選択可能に、一つの実施例として、前記プロセッサは具体的に前記少なくとも一つのビーム伝送信号の信号強度及び／又は信号品質、及び前記第一の信号強度閾値及び／又は前記第一の信号品質閾値に基づき、セルセット又はビームセットを確定し、基準に従って前記セルセットにおけるセルをソートし、そしてソート結果に基づいて前記ターゲットセルを確定し、又は基準に従って前記ビームセットにおけるビームをソートし、そしてソート結果に基づいて前記ターゲットビームを確定するように構成される。
【０１４６】
選択可能に、一つの実施例として、前記プロセッサはさらに記少なくとも一つのビーム伝送信号の信号強度及び／又は信号品質、及び前記第一の信号強度閾値及び／又は前記第一の信号品質閾値に基づき、セルセット又はビームセットを確定し、周波数優先度に基づいて前記セルセット又は前記ビームセットから前記ターゲットビーム又は前記ターゲットセルを確定するように構成され、前記周波数優先度がセルの周波数の周波数優先度又はビームの周波数の周波数優先度を示すことに用いられる。
【０１４７】
選択可能に、一つの実施例として、前記プロセッサはさらに前記端末にサービングされたセル伝送信号の信号強度及び／又は信号品質が第二の信号強度閾値及び／又は第二の信号品質閾値より低いことを確定するように構成され、さらに前記端末にサ―ビングされたビーム伝送信号の信号強度及び／又は信号品質が第二の信号強度閾値及び／又は第二の信号品質閾値より低いことを確定するように構成される。
【０１４８】
選択可能に、一つの実施例として、前記通信インタフェースは具体的にネットワーク側装置から送信された専用シグナリングを受信するように構成され、前記専用シグナリングに前記少なくとも一つのビームにおける各ビームの測定構成情報が含まれる。
【０１４９】
選択可能に、一つの実施例として、前記通信インタフェースは具体的にネットワーク側装置から送信されたシステム情報を受信するように構成され、前記システム情報に前記少なくとも一つのビームにおける各ビームの測定構成情報が含まれる。
【０１５０】
図８は本発明の実施例によるビーム測定装置を示す概略ブロック図である。図８に示す装置８００はメモリ８１０、プロセッサ８２０、入力／出力インタフェース８３０、通信インタフェース８４０とバスシステム８５０を備える。ここで、メモリ８１０、プロセッサ８２０、入力／出力インタフェース８３０と通信インタフェース８４０はバスシステム８５０を介して接続し、該メモリ８１０が命令を記憶することに用いられ、該プロセッサ８２０が該メモリ８１０に記憶された命令を実行し、入力されたデータと情報を受信し、操作結果などのデータを出力するように入力／出力インタフェース８３０を制御し、そして信号を送信するように通信インタフェース８４０を制御することに用いられる。
【０１５１】
通信インタフェース８４０は端末へ少なくとも一つのビーム測定構成情報を送信するように構成され、前記測定構成情報がビームの測定に用いられる。
【０１５２】
前記通信インタフェース８４０はさらに前記ターゲットビーム及び／又はターゲットセルを介して情報を送信するように構成され、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルである。
【０１５３】
理解すべきものとして、本発明の実施例では、該プロセッサ８２０は、関連プログラムを実行し、本発明の実施例によって提供される技術的解決策を実現するために、汎用の中央プロセッサ（ＣＰＵ：Ｃｅｎｔｒａｌ  Ｐｒｏｃｅｓｓｉｎｇ  Ｕ  ｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は一つ又は複数の集積回路を用いることができる。
【０１５４】
また、理解すべきものとして、通信インタフェース８４０は送受信機のような送受信装置を用い、信号検出装置８００と他の装置又は通信ネットワークの間の通信を実現するがこれに限定されない。
【０１５５】
該メモリ８１０は読み取り専用メモリとランダムアクセスメモリを含み、そしてプロセッサ８２０に命令とデータを供給することができる。メモリ８１０の一部はさらに不揮発性ランダムアクセスメモリを含むことができる。例えば、メモリ８１０は、さらに装置タイプの情報を記憶することができる。
【０１５６】
該バスシステム８５０はデータバスに加えて、電源バス、制御バスと状態信号バスなどを含む。しかし、明確に説明するために、図において様々なバスがバスシステム８５０として標識される。
【０１５７】
実現プロセスにおいて、上記方法の各ステップはプロセッサ８２０におけるハードウェアの集積論理回路又はソフトウェア形態の命令により完了されてもよい。本発明の実施例と組み合わせて開示されるビーム測定方法のステップはハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ８１０に位置し、プロセッサ８２０はメモリ８１０における情報を読み取り、そのハードウェアと組み合わせて上記方法のステップを完了する。繰り返しを回避するために、ここで詳細な説明を省略する。
【０１５８】
選択可能に、一つの実施例として、前記少なくとも一つのビームが同じセルに属する。
【０１５９】
選択可能に、一つの実施例として、前記少なくとも一つのビームが複数のビームであり、前記複数のビームがそれぞれ複数のセルに属する。
【０１６０】
選択可能に、一つの実施例として、前記測定構成情報は周波数優先度、第一の信号強度閾値、第一の信号品質閾値、第二の信号強度閾値と第二の信号品質閾値のうちの少なくとも一つを含み、ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられる。
【０１６１】
選択可能に、一つの実施例として、前記通信モジュールは具体的に前記端末へ専用シグナリングを送信するように構成され、前記専用シグナリングに前記少なくとも一つのビームの測定構成情報が含まれる。
【０１６２】
選択可能に、一つの実施例として、前記通信モジュールは具体的に前記端末へシステム情報を送信するように構成され、前記システム情報に前記少なくとも一つのビームの測定構成情報が含まれる。
【０１６３】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１６４】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１６５】
本出願が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０１６６】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち一つの箇所に位置してもよく、又は複数のネットワークユニットに分布してもよい。実際のニーズに応じてその中の一部又は全てのユニットを選択して本実施例の解決策の目的を達成することができる。
【０１６７】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１６８】
前記機能はソフトウェア機能ユニットの形態で実現され且つ独立した製品として販売又は使用される場合、一つのコンピュータ読み取り可能な記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１６９】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記特許請求の範囲によって準拠するべきである。
【図１】
2020502862.tif 000005
【図２】
2020502862.tif 000006
【図３】
2020502862.tif 000007
【図４】
2020502862.tif 000008
【図５】
2020502862.tif 000009
【図６】
2020502862.tif 000010
【図７】
2020502862.tif 000011
【図８】
2020502862.tif 000012
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
ビーム測定方法であって、
端末が測定構成情報に基づいて少なくとも一つのビームを測定することであって、前記測定構成情報が前記少なくとも一つのビームの測定に用いられることと、
前記端末が前記少なくとも一つのビームの測定量に基づき、ターゲットビーム及び／又はターゲットセルを確定することであって、前記ターゲットビーム及び／又は前記ターゲットセルが、前記端末がキャンプすることができるビーム及び／又はセルであることとを含む、前記ビーム測定方法。
【請求項２】
前記ビーム測定方法はさらに、
前記端末がネットワーク側装置から送信された前記測定構成情報を受信することを含むことを特徴とする
請求項１に記載のビーム測定方法。
【請求項３】
前記少なくとも一つのビームが複数のビームであり、前記複数のビームがそれぞれ複数のセルに属することを特徴とする
請求項１又は２に記載のビーム測定方法。
【請求項４】
前記端末が前記少なくとも一つのビームの測定量に基づき、ターゲットビーム及び／又はターゲットセルを確定することは、
前記端末が前記複数のビームの測定量に基づき、前記複数のセルの測定量を確定することと、
前記端末が前記複数のセルの測定量に基づき、前記複数のセルから前記ターゲットセルを確定することとを含むことを特徴とする
請求項３に記載のビーム測定方法。
【請求項５】
前記ビーム測定方法はさらに、
前記端末が前記少なくとも一つのビームの測定量に基づき、少なくとも一つの候補ビーム及び／又は少なくとも一つの候補セルを確定することであって、前記少なくとも一つの候補ビーム及び／又は少なくとも一つの候補セルは、前記ターゲットビーム及び／又は前記ターゲットセルが適切でない場合、前記端末がキャンプすることができるビーム及び／又はセルであることを含むことを特徴とする
請求項１−４のいずれか一項に記載のビーム測定方法。
【請求項６】
前記端末が前記少なくとも一つのビームの測定量に基づき、ターゲットビーム及び／又はターゲットセルを確定することは、
前記端末が前記少なくとも一つのビーム伝送信号の信号強度及び／又は信号品質に基づき、前記ターゲットビーム及び／又は前記ターゲットセルを確定することを含むことを特徴とする
請求項１−５のいずれか一項に記載のビーム測定方法。
【請求項７】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項１−６のいずれか一項に記載のビーム測定方法。
【請求項８】
前記端末が前記少なくとも一つのビーム伝送信号の信号強度及び／又は信号品質に基づき、前記ターゲットビーム及び／又は前記ターゲットセルを確定することは、
前記端末が前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定することを含むことを特徴とする
請求項７に記載のビーム測定方法。
【請求項９】
前記端末が前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定することは、
前記端末が前記少なくとも一つのビーム伝送信号の信号強度及び／又は信号品質、及び前記第一の信号強度閾値及び／又は前記第一の信号品質閾値に基づき、セルセット及び／又はビームセットを確定することと、
前記端末が前記セルセット又は前記ビームセットから、伝送信号の信号強度及び／又は信号品質が最も良いセル又はビームを、ターゲットセル又はターゲットビームとして確定することとを含むことを特徴とする
請求項８に記載のビーム測定方法。
【請求項１０】
前記端末が前記少なくとも一つのビームの測定量を確定する前に、前記ビーム測定方法はさらに、
前記端末が前記端末にサービングされたセル伝送信号の信号強度及び／又は信号品質が第二の信号強度及び／又は第二の信号品質閾値より低いことを確定すること、又は
前記端末が前記端末にサ―ビングされたビーム伝送信号の信号強度及び／又は信号品質が第二の信号強度及び／又は第二の信号品質閾値より低いことを確定することを含むことを特徴とする
請求項７に記載のビーム測定方法。
【請求項１１】
ビーム測定方法であって、
ネットワーク側装置が端末へ少なくとも一つのビームの測定構成情報を送信することであって、前記測定構成情報がビームの測定に用いられることと、
前記ネットワーク側装置がターゲットビーム及び／又はターゲットセルを介して情報を送信することであって、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルであることとを含む、前記ビーム測定方法。
【請求項１２】
前記少なくとも一つのビームが複数のビームであり、前記複数のビームがそれぞれ複数のセルに属することを特徴とする
請求項１１に記載のビーム測定方法。
【請求項１３】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項１１又は１２に記載のビーム測定方法。
【請求項１４】
ビーム測定装置であって、
測定構成情報に基づいて少なくとも一つのビームを測定するように構成される測定モジュールであって、前記測定構成情報が前記少なくとも一つのビームを測定することに用いられる測定モジュールと、
前記少なくとも一つのビームの測定量に基づき、ターゲットビーム及び／又はターゲットセルを確定するように構成される第一の確定モジュールであって、前記ターゲットビーム及び／又はターゲットセルが、端末がキャンプすることができるビーム及び／又はセルである第一の確定モジュールとを備える、前記ビーム測定装置。
【請求項１５】
前記ビーム測定装置はさらに、
ネットワーク側装置から送信された前記測定構成情報を受信するように構成される受信モジュールを備えることを特徴とする
請求項１４に記載のビーム測定装置。
【請求項１６】
前記少なくとも一つのビームが複数のビームであり、前記複数のビームがそれぞれ複数のセルに属することを特徴とする
請求項１４又は１５に記載のビーム測定装置。
【請求項１７】
前記第一の確定モジュールは具体的に、
前記複数のビームの測定量に基づき、前記複数のセルの測定量を確定し、
前記複数のセルの測定量に基づき、前記複数のセルから前記ターゲットセルを確定するように構成されることを特徴とする
請求項１６に記載のビーム測定装置。
【請求項１８】
前記ビーム測定装置はさらに、
前記少なくとも一つのビームの測定量に基づき、少なくとも一つの候補ビーム及び／又は少なくとも一つの候補セルを確定するように構成される第三の確定モジュールであって、前記少なくとも一つの候補ビーム及び／又は少なくとも一つの候補セルが、前記ターゲットビーム及び／又は前記ターゲットセルが適切でない場合、前記端末がキャンプすることができるビーム及び／又はセルである第三の確定モジュールを備えることを特徴とする
請求項１４−１７のいずれか一項に記載のビーム測定装置。
【請求項１９】
前記第一の確定モジュールは具体的に、
前記少なくとも一つのビーム伝送信号の信号強度及び／又は信号品質に基づき、前記ターゲットビーム及び／又は前記ターゲットセルを確定するように構成されることを特徴とする
請求項１４−１８のいずれか一項に記載のビーム測定装置。
【請求項２０】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項１４−１９のいずれか一項に記載のビーム測定装置。
【請求項２１】
前記第一の確定モジュールは具体的に、
前記少なくとも一つのビームにおける各ビーム伝送信号の信号強度及び／又は信号品質、及び前記第一の信号強度閾値及び／又は前記第一の信号品質閾値に基づき、前記ターゲットビーム及び／又は前記ターゲットセルを確定するように構成されることを特徴とする
請求項２０に記載のビーム測定装置。
【請求項２２】
前記第一の確定モジュールは具体的に、
前記少なくとも一つのビーム伝送信号の信号強度及び／又は信号品質、及び前記第一の信号強度閾値及び／又は前記第一の信号品質閾値に基づき、セルセット及び／又はビームセットを確定し、
前記セルセット又は前記ビームセットから、伝送信号の信号強度及び／又は信号品質が最も良いセル又はビームを、ターゲットセル又はターゲットビームとして確定するように構成されることを特徴とする
請求項２１に記載のビーム測定装置。
【請求項２３】
前記第一の確定モジュールは具体的に、
前記少なくとも一つのビーム伝送信号の信号強度及び／又は信号品質、及び前記第一の信号強度閾値及び／又は前記第一の信号品質閾値に基づき、セルセット又はビームセットを確定し、
基準に従って前記セルセットにおけるセルをソートし、そしてソート結果に基づいて前記ターゲットセルを確定し、又は
基準に従って前記ビームセットにおけるビームをソートし、そしてソート結果に基づいて前記ターゲットビームを確定するように構成され、
または、前記第一の確定モジュールはさらに、
前記少なくとも一つのビーム伝送信号の信号強度及び／又は信号品質、及び前記第一の信号強度閾値及び／又は前記第一の信号品質閾値に基づき、セルセット又はビームセットを確定し、
周波数優先度に基づいて前記セルセット又は前記ビームセットから前記ターゲットビーム又は前記ターゲットセルを確定するように構成され、前記周波数優先度がセルの周波数の周波数優先度又はビームの周波数の周波数優先度を示すことに用いられることを特徴とする
請求項２１に記載のビーム測定装置。
【請求項２４】
ビーム測定装置であって、
端末へ少なくとも一つのビームの測定構成情報を送信するように構成される第一の送信モジュールであって、前記測定構成情報がビームの測定に用いられる第一の送信モジュールと、
ターゲットビーム及び／又はターゲットセルを介して情報を送信するように構成される通信モジュールであって、前記ターゲットビーム及び／又はターゲットセルが、前記端末が前記少なくとも一つのビームの前記測定構成情報に基づいて前記少なくとも一つのビームを測定し、そして前記少なくとも一つのビームの測定量に基づいて確定したものであり、前記ターゲットビーム及び／又はターゲットセルが、前記端末がキャンプすることができるビーム及び／又はセルである通信モジュールとを備える、前記ビーム測定装置。
【請求項２５】
前記少なくとも一つのビームが複数のビームであり、前記複数のビームがそれぞれ複数のセルに属することを特徴とする
請求項２４に記載のビーム測定装置。
【請求項２６】
前記測定構成情報は、
周波数優先度、第一の信号強度閾値、第一の信号品質閾値、第二の信号強度閾値と第二の信号品質閾値のうちの少なくとも一つを含み、
ここで、前記周波数優先度がビームの周波数又はセルの周波数の優先度を示すことに用いられ、前記第一の信号強度閾値がビーム伝送信号の信号強度の最小値を示すことに用いられ、前記第一の信号品質閾値がビーム伝送信号の信号品質の最小値を示すことに用いられ、前記第二の信号強度閾値が、端末がビームを測定し始める閾値を示すことに用いられ、前記第二の信号品質閾値が、端末がビームを測定し始める閾値を示すことに用いられることを特徴とする
請求項２４又は２５に記載のビーム測定装置。
【国際調査報告】
2020502862.tif 000013
2020502862.tif 000014
2020502862.tif 000015
2020502862.tif 000016